(57)【要約】【課題】  クラッチブレーキ装置の改修作業を容易にし、且つ、ブレーキ駆動装置の耐久性を向上させることができる車両用変速機を提供する。【解決手段】  クラッチ装置に連係し、エンジンからの動力が伝達される入力軸(6)、入力軸に連動してクラッチ装置に連係するカウンタ軸(20)、及び、入力軸とは別に配設され、車輪に連動する出力軸(16)を備えたハウジング(4)と、車両の発進時に、入力軸及び出力軸の各回転速度を同期させる或いはカウンタ軸及び出力軸の各回転速度を同期させるべく、エアを用いてカウンタ軸を制動させるクラッチブレーキ装置(24)と、ハウジング上に載置されているとともに、クラッチ装置からのエアを取り入れ、且つ、車両の変速位置に応じてクラッチブレーキ装置にエアを供給するブレーキ駆動装置 (36)とから構成される。【選択図】      図１
2005291325.tif 000002
【特許請求の範囲】
【請求項１】
クラッチ装置に連係し、エンジンからの動力が伝達される入力軸、該入力軸に連動して前記クラッチ装置に連係するカウンタ軸、及び、前記入力軸とは別に配設され、車輪に連動する出力軸を備えたハウジングと、
車両の発進時に、前記入力軸及び前記出力軸の各回転速度を同期させる或いは前記カウンタ軸及び前記出力軸の各回転速度を同期させるべく、エアを用いて前記カウンタ軸を制動させるクラッチブレーキ装置と、
前記ハウジング上に載置されているとともに、前記クラッチ装置からのエアを取り入れ、且つ、前記車両の変速位置に応じて前記クラッチブレーキ装置に前記エアを供給するブレーキ駆動装置と、
から構成されることを特徴とする車両用変速機。
【請求項２】
前記クラッチ装置は、クラッチブースタを備え、
前記ブレーキ駆動装置は、該クラッチブースタからのエアを取り入れ、その開弁により前記クラッチブレーキ装置に前記エアを供給するエアバルブと、該エアバルブの弁体に当接するとともに、前記変速位置に応じて該弁体を押圧して前記エアバルブを開弁させる開閉タイミング装置と、
を備えることを特徴とする請求項１に記載の車両用変速機。
【請求項３】
前記ブレーキ駆動装置は、前記変速位置が１速とリバースとの中間位置から２速と３速との中間位置に至る直前までのセレクト範囲にのみ、前記クラッチブレーキ装置に前記エアを供給することを特徴とする請求項１又は２に記載の車両用変速機。
【請求項４】
前記ブレーキ駆動装置は、前記変速位置が１速とリバースとのシフト方向の中間位置にのみ、前記クラッチブレーキ装置に前記エアを供給することを特徴とする請求項１又は２に記載の車両用変速機。
【発明の詳細な説明】
【技術分野】
【０００１】
本発明は、車両用変速機に係り、詳しくは、イナーシャ式のクラッチブレーキを作動させる車両用変速機に関する。
【背景技術】
【０００２】
車両用変速機（トランスミッション）は、エンジンで発生したトルクを駆動車輪に伝達させる動力伝達装置の一部であり、上記トルクを所定の伝達トルク比に切り換えている。
この車両用変速機のハウジング内には、エンジンからの動力が伝達される入力軸（クラッチ軸）、該入力軸の軸線上にてこの入力軸とは別に配設される出力軸（主軸）、この出力軸と平行に配設されるカウンタ軸（副軸）がそれぞれ備えられている。これら入力軸及びカウンタ軸はクラッチ装置のクラッチディスクとともに回転する軸である。一方、この出力軸は車輪に繋がるプロペラ軸とともに回転する軸である。
【０００３】
また、この車両用変速機には、その変速を自動で行うタイプの他、手動で行うタイプが存在する。当該手動で行うタイプによる車両の発進操作は、運転者の足でクラッチペダルを踏むとともに、その手でギヤチェンジレバーを１速或いはリバースの変速位置にシフトすることから始まる。
換言すれば、車両の発進操作において、上記クラッチペダルが踏まれる直前の時点では、変速位置は１速或いはリバースのいずれにもシフトされていないニュートラルな状態にある。この時点の入力軸はクラッチディスクとともにエンジンのアイドル回転速度で回転し、カウンタ軸及び１速ギヤ、リバースギヤは入力軸に対する歯車比に応じた回転速度で回転しているのに対して、この時点の出力軸は車輪とともに停止している。
【０００４】
従って、この状態で１速への変速を行うと、入力軸と連動する１速ギヤの回転速度と出力軸の回転速度との速度差が原因となり、一方、リバースへの変速を行うと、入力軸と連動するリバースギヤの回転速度と出力軸の回転速度との速度差が原因となっていずれの場合にもギヤ鳴りが生じることになる。
ここで、トラックやバスの大型車両等の如く２速にシフトして発進させる場合には、別途独立に構成された同期機構が作用するが、この同期機構は１速やリバースの各発進の場合には作用しないのである。
【０００５】
そこで、この１速やリバースの各発進の場合には出力軸の回転速度との速度差を無くすべく、入力軸及びカウンタ軸並びに１速ギヤ又はリバースギヤを停止させるイナーシャ式のクラッチブレーキ装置が必要になり、この装置を備えた車両用変速機の技術が提案されている（特許文献１）。
【特許文献１】特公平４−８１０６８号公報（第２頁第４欄第２５行から第３頁第６欄第２０行、第１図等）
【発明の開示】
【発明が解決しようとする課題】
【０００６】
ところで、前記従来の技術では、クラッチペダルスイッチ、エンジン回転速度検出スイッチ及び変速位置検出センサからの各出力信号に基づいてディスクを備えたクラッチブレーキ装置の作動制御を行っている。つまり、ＥＣＵ（電子コントロールユニット）を必須の構成要素とし、このＥＣＵには各種の出力信号が入力され、所定の演算を実行した後にブレーキ実行信号を制御バルブ等に出力し、クラッチブレーキの作動タイミング等を制御している。
【０００７】
しかしながら、このイナーシャ式のクラッチブレーキ装置は、車両用変速機にオプションで追加される場合が多いものである。すなわち、前記従来の技術では、このクラッチブレーキ装置を後付けするときには、車両用変速機にクラッチブレーキ装置を設ける作業の他、シャシ側において、ＥＣＵの設置や上記スイッチ及びセンサとのハーネスの配索等を初めとするブレーキ駆動装置を設ける作業が別途必要になり、これでは、完成車に対する後付け時の改修作業が煩わしくなるとの問題が生ずる。
【０００８】
また、このブレーキ駆動装置の構成がクラッチペダルスイッチ、変速位置検出センサ及びＥＣＵの如くの電気的な構成では、その配設箇所が点在することになり、その耐久性が低下し得るという問題もある。
本発明は、このような課題に鑑みてなされたもので、クラッチブレーキ装置の改修作業を容易にし、且つ、ブレーキ駆動装置の耐久性を向上させることができる車両用変速機を提供することを目的とする。
【課題を解決するための手段】
【０００９】
上記の目的を達成するべく、請求項１記載の車両用変速機は、クラッチ装置に連係し、エンジンからの動力が伝達される入力軸、入力軸に連動してクラッチ装置に連係するカウンタ軸、及び、入力軸とは別に配設され、車輪に連動する出力軸を備えたハウジングと、車両の発進時に、入力軸及び出力軸の各回転速度を同期させる或いはカウンタ軸及び出力軸の各回転速度を同期させるべく、エアを用いてカウンタ軸を制動させるクラッチブレーキ装置と、ハウジング上に載置されているとともに、クラッチ装置からのエアを取り入れ、且つ、車両の変速位置に応じてクラッチブレーキ装置にエアを供給するブレーキ駆動装置とから構成されることを特徴としている。
【００１０】
また、請求項２記載の発明では、クラッチ装置は、クラッチブースタを備え、ブレーキ駆動装置は、クラッチブースタからのエアを取り入れ、その開弁によりクラッチブレーキ装置にエアを供給するエアバルブと、エアバルブの弁体に当接するとともに、変速位置に応じて弁体を押圧してエアバルブを開弁させる開閉タイミング装置とを備えることを特徴としている。
【００１１】
更に、請求項３記載の発明では、ブレーキ駆動装置は、変速位置が１速とリバースとの中間位置から２速と３速との中間位置に至る直前までのセレクト範囲にのみ、クラッチブレーキ装置にエアを供給することを特徴としている。
更にまた、請求項４記載の発明では、ブレーキ駆動装置は、変速位置が１速とリバースとのシフト方向の中間位置にのみ、クラッチブレーキ装置にエアを供給することを特徴としている。
【発明の効果】
【００１２】
従って、請求項１記載の本発明の車両用変速機によれば、ハウジング上にブレーキ駆動装置が設けられており、このブレーキ駆動装置を介してクラッチ装置とクラッチブレーキ装置とを接続すれば、クラッチ装置からのエア及び車両の変速位置に応じてイナーシャ式のクラッチブレーキを作動させることが可能となる。この結果、このクラッチブレーキ装置を車両用変速機にオプションで追加する場合にも、車両用変速機の周辺のみの作業で済ませることができ、クラッチブレーキ装置の改修作業が容易になる。
【００１３】
また、請求項２記載の発明によれば、ブレーキ駆動装置が機械的な構成となり、クラッチペダルスイッチの他、イナーシャ式のクラッチブレーキを作動制御するＥＣＵの構成が不要となる。よって、従来の如くの電気的な構成よりもブレーキ駆動装置の耐久性が向上し、ひいては、車両用変速機の信頼性を高めることができる。
更に、請求項３記載の発明によれば、変速位置が１速とリバースとの中間位置から２速と３速との中間位置に至る直前までのセレクト範囲では、エアバルブの開弁によってクラッチブレーキ装置にエアが供給され、イナーシャ式のクラッチブレーキが作動する。よって、車両の発進時のギヤ鳴りを確実に防止することができる。
【００１４】
また、上記セレクト範囲以外の範囲では、イナーシャ式のクラッチブレーキの作動が解除されるので、所望のタイミングにおけるスムーズな変速を維持することができる。
更にまた、請求項４記載の発明によれば、変速位置が１速とリバースとのシフト方向の中間位置にのみ、エアバルブの開弁によってクラッチブレーキ装置にエアが供給される。よって、この場合にも車両の発進時のギヤ鳴りが確実に防止可能となるし、上記シフト方向の中間位置以外の位置では、クラッチブレーキの作動が解除されてスムーズな変速が維持可能となる。
【発明を実施するための最良の形態】
【００１５】
以下、図面により本発明の実施形態について説明する。
当該図示の車両用変速機２はトラックやバスの大型車両に用いられ、運転手の手でギヤチェンジレバーを１速から７速或いはリバースの所望の変速位置に手動で変更するように構成されている。
この車両用変速機２はハウジング４を備えている。ハウジング４内には、図示しないエンジンからの動力が伝達される入力軸（クラッチ軸）６が設けられ、この入力軸６は各種の軸受８を介してハウジング４に回転自在に支持されている。
【００１６】
入力軸６のエンジン側はクラッチ装置のクラッチディスクに連係され、入力軸６はクラッチ装置との接続時にはクラッチディスクとともに回転する。なお、上記クラッチ装置にはクラッチブースタ１２が配設されている。また、このクラッチブースタ１２にはその倍力エアを受容するエア受容配管３８が接続されており、エアはクラッチペダルの踏み込みに応じてエア受容配管３８内に導入される。
【００１７】
このハウジング４内には、入力軸６の軸線上にこの入力軸６とは別に配設される出力軸（主軸）１６が設けられ、この出力軸１６は軸受１８を介してハウジング４に回転自在に支持されている。また、当該出力軸１６は図示しない車輪に連動しており、この車輪とともに回転する。なお、出力軸１６には、変速位置に応じて軸方向に摺動するスリーブや２速発進用の同期機構がそれぞれ配設されている。
【００１８】
更に、ハウジング４内には、出力軸１６に平行に配設され、入力軸６に連動して上記クラッチディスクに連係するカウンタ軸（副軸）２０が設けられており、このカウンタ軸２０は軸受２２を介してハウジング４に回転自在に支持されている。このカウンタ軸２０はクラッチ装置との接続時にはクラッチディスクとともに回転する。
本実施形態の車両用変速機２の変速位置は、ギヤチェンジレバーが１速から７速或いはリバースの各変速位置にシフトすることにより決定される。この各変速位置のシフトは、ギヤチェンジレバーが１速とリバースとの中間位置から６速と７速との中間位置までのいずれかのニュートラル状態をセレクトした後に行われる。
【００１９】
そして、この変速位置がニュートラル状態から１速から７速のいずれかにシフトされた場合には、トルクは入力軸６からカウンタ軸２０を介して出力軸１６に間接的に伝達されるように構成され、これに対し、変速位置がニュートラル状態からリバースにシフトされた場合には、トルクはカウンタ軸２０及びリバース用アイドラギヤを介して入力軸６から出力軸１６に間接的に伝達されるように構成されている。
【００２０】
ここで、車両の発進操作は、まず、運転者の足でクラッチペダルを踏むとともに、その手でギヤチェンジレバーを１速或いはリバースの変速位置にシフトする。次いで、アクセルペダルを徐々に踏みつつ、クラッチペダルを徐々に離すことにより行われる。すなわち、この車両の発進操作において、上記クラッチペダルが踏まれる直前の時点では、変速位置はニュートラルな状態にあり、この時点の入力軸６はクラッチディスクとともにエンジンのアイドル回転速度で回転し、カウンタ軸２０及び１速ギヤ、リバースギヤは入力軸６に対する歯車比に応じた回転速度で回転しているのに対し、この時点の出力軸１６は車輪とともに停止している。
【００２１】
従って、このままの状態で１速への変速（シフト）を行うと、１速ギヤの回転速度と出力軸１６の回転速度との速度差が原因となり、一方、リバースへの変速（シフト）を行うと、リバースギヤの回転速度と出力軸１６の回転速度との速度差が原因となっていずれもギヤ鳴りが生じてしまう。そこで、１速発進或いはリバース発進の場合に発生するギヤ鳴りを防止するクラッチブレーキ装置２４が必要になる。
【００２２】
このクラッチブレーキ装置２４はハウジング４の側方に配設されており、クラッチブレーキ装置２４には、クラッチブースタ１２からのエアを受容するケース２６が備えられ、このエアはエア取り入れ口２８からケース２６内に導入される。
また、このケース２６内には、カウンタ軸２０に連動して回転力を得るシャフト３４、エア圧力の増加に応じて図示しないばねの付勢力に抗し、シャフト３４に向けて移動するピストン３０が配設されている。更に、このピストン３０とシャフト３４との間にはシャフト３４とともに回転するディスク３２が配設されており、このディスク３２は、ピストン３０がシャフト３４に向けて移動することにより、アダプタ２７に当接される。そして、この場合にはシャフト３４の回転が抑制され、カウンタ軸２０が制動される。
【００２３】
このように、このクラッチブレーキ装置２４は、１速或いはリバースへのシフトを行う場合であってクラッチペダルが踏み込まれた直後には、エアを用いてイナーシャ式のクラッチブレーキを作動させ、入力軸６及びカウンタ軸２０を制動し、１速ギヤ又はリバースギヤと出力軸１６との各回転速度を同期させている。なお、ディスク３２とアダプタ２７との当接は、ケース２６内のエア圧力の減少に伴い、ピストン３０が図示しないばねの付勢力によって戻されることにより解除される。
【００２４】
上記クラッチブレーキ装置２４はエア伝達装置（ブレーキ駆動装置）３６により駆動される。このエア伝達装置３６は車両用変速機２のハウジング４上に載置され、また、エア伝達装置３６は、エアバルブ４０と開閉タイミング装置５０とから構成されている。
当該エア伝達装置３６の詳細は図２に示されている。
このエアバルブ４０には、エア受容配管３８を介してクラッチブースタ１２からの倍力エアが取り入れられており、このエアはエアバルブ４０内に充填されている。そして、エアバルブ４０はハウジング４上に固定されるバルブ基部４２を備え、このバルブ基部４２の上側には弁本体部４４が配設されている。この弁本体部４４はその内側に図示しない弁体を備えており、この弁体はロッド４６の一端に当接され、ロッド４６の他端は開閉タイミング装置５０に当接され、この弁体はロッド４６による押圧力で開弁される。また、弁本体部４４には、接続部４８を介してエア供給配管６８が接続されており、このエア供給配管６８はクラッチブレーキ装置２４のエア取り入れ口２８に接続されている。
【００２５】
一方、開閉タイミング装置５０は、ハウジング４上に支持されたシャフト６６と回動部５６とがスプラインにより嵌合されており、ギヤチェンジレバーが１速とリバースとの中間位置から６速と７速との中間位置までの各ニュートラル状態をセレクトした場合には、矢印で示す如くシャフト６６に沿って直線的に移動する。
この回動部５６はシャフト６６とともに回転するように構成され、変速倍力装置６４に接続されている。そして、この回動部５６は、ギヤチェンジレバーが各ニュートラル状態から１速から７速或いはリバースのいずれかの変速位置にシフトした場合には、矢印で示す如く回動部５６の軸心回りに回動する。
【００２６】
また、回動部５６の外周部分にはエアバルブ４０のロッド４６が当接されている。更に、回動部５６の外周部分には弁体押圧部５８が構成されている。この弁体押圧部５８は、回動部５６の外周面から外方向に向けて突出されており、変速倍力装置６４側に向かう法線を有しエアバルブ４０に対して斜面で対向する押圧斜面部６０と、エアバルブ４０に対して正面で対向する押圧正面部６２と、押圧斜面部６０及び押圧正面部６２の両側で回動部５６の外周面に連なる押圧側面部６１とから構成されている。
【００２７】
上記エア伝達装置３６の動作については、図３及び図４に示されている。
運転者の足によってクラッチペダルが踏み込まれ、ギヤチェンジレバーによるシフトが解除されると、変速位置はニュートラル状態となる。ここで、変速位置が６速と７速との中間位置や４速と５速との中間位置（図３（ｂ））にセレクトされている場合には、回動部５６は、エアバルブ４０のロッド４６が回動部５６の外周面に当接されており（図３（ａ））、弁体押圧部５８によって押圧されていない。よって、この場合には、エアバルブ４０の弁体が開弁せず、エア伝達装置３６がエアの供給駆動を行わないことから、クラッチブレーキ装置２４は作動されない。この結果、入力軸６及びカウンタ軸２０は制動されない。
【００２８】
また、変速位置が２速と３速との中間位置（図３（ｄ））にセレクトされた場合にも、回動部５６は、ロッド４６が回動部５６の外周面に当接されており（図３（ｃ））、弁体押圧部５８によって押圧されていない。よって、この場合にも、エア伝達装置３６がエアの供給駆動を行わず、入力軸６及びカウンタ軸２０は制動されない。
これに対し、変速位置が、図３（ｆ）にて鎖線で囲まれるように、１速とリバースとの中間位置から２速と３速との中間位置に至る直前までの各ニュートラル状態（１−Ｒ範囲）にセレクトした場合には、入力軸６及びカウンタ軸２０は制動されることになる。
【００２９】
具体的には、変速位置が２速と３速との中間位置から１速とリバースとの中間位置に向けてセレクトされると、エアバルブ４０のロッド４６が押圧斜面部６０に当接し、この押圧斜面部６０上に乗り上げると、ロッド４６はセレクト回動部５６の外周面から離れ、エアバルブ４０の弁体を押圧し始める。次いで、変速位置が１速とリバースとの中間位置（図３（ｆ）、図４（ｂ））にセレクトされている場合には、ロッド４６は押圧正面部６２に当接し、ロッド４６はエアバルブ４０の弁体をより一層押圧する（図３（ｅ）、図４（ａ））。
【００３０】
そして、エアバルブ４０の弁体が開弁すると、エア伝達装置３６がクラッチブースタ１２からのエアをクラッチブレーキ装置２４に供給すべく駆動する。この結果、エアを受容したクラッチブレーキ装置２４が作動され、入力軸６及びカウンタ軸２０が制動される。
このように、運転者の足がクラッチペダルを踏み込み、その手がギヤチェンジレバーを上記１−Ｒ範囲内の変速位置にシフトさせると、イナーシャ式のクラッチブレーキによって入力軸６及びカウンタ軸２０が停止される。しかしながら、図４（ｄ）に示されるように、変速位置が１速とリバースとのシフト方向の中間位置から１速にシフトされた場合には、エアバルブ４０のロッド４６は、押圧側面部６１を経由して回動部５６の外周面に当接され、エアバルブ４０の弁体が閉弁する。よって、入力軸６及びカウンタ軸２０は制動されないことになる。なお、リバースにシフトされた場合にも同様にクラッチブレーキが解除される。
【００３１】
以上のように、本実施形態では、ハウジング４上にエア伝達装置３６を設けており、このエア伝達装置３６を介してクラッチブースタ１２とクラッチブレーキ装置２４と接続すれば、クラッチブースタ１２からの倍力エアと変速位置に応じてイナーシャ式のクラッチブレーキを作動させることが可能となる。従って、このクラッチブレーキ装置２４を車両用変速機２にオプションで追加する場合にも、車両用変速機２上の部品交換の作業で総ての作業を済ませることができ、シャシ側の改修作業を無くし、クラッチブレーキ装置２４の改修作業が容易になる。
【００３２】
また、エア伝達装置３６が機械的な構成となり、クラッチペダルスイッチの他、イナーシャ式のクラッチブレーキの作動を制御するＥＣＵの構成も不要となる。また、クラッチブレーキを駆動させるためのスピードセンサやマグネットバルブの構成も不要となる。よって、従来の如くの電気的な構成に比してエア伝達装置３６の耐久性が向上する。これは車両用変速機２の信頼性を高めることに寄与できる。
【００３３】
更に、変速位置が上記１−Ｒ範囲の場合には、エアバルブ４０の開弁によってクラッチブレーキ装置２４にエアを供給され、イナーシャ式のクラッチブレーキが作動するので、車両の発進時のギヤ鳴りは確実に防止される。
しかも、上記１−Ｒ範囲以外の範囲や各シフト位置では、このクラッチブレーキが解除される。よって、カウンタ軸２０がいつまでも制動し続けることが防止され、所望のタイミングにおけるスムーズな変速が維持可能となる。
【００３４】
以上で本発明の一実施形態についての説明を終えるが、本発明は上記実施形態に限定されるものではなく、本発明の趣旨を逸脱しない範囲で種々の変更ができるものである。
例えば、上記実施形態の１速発進では、トルクは入力軸６からカウンタ軸２０を介して出力軸１６に間接的に伝達され、リバース発進では、トルクはカウンタ軸２０及びリバース用アイドラギヤを介して入力軸６から出力軸１６に間接的に伝達される構成が示されているが、必ずしもこの形態に限定されるものではなく、一例を挙げれば、いずれの発進についても、トルクは入力軸６から出力軸１６に直接的に伝達されていても良い。この場合にも上述と同様に、クラッチブレーキ装置２４の改修作業の容易化やエア伝達装置３６の耐久性の向上化を達成できる。
【図面の簡単な説明】
【００３５】
【図１】本発明の一実施形態に係る車両用変速機の概略構成図である。
【図２】図１の車両用変速機におけるブレーキ駆動装置の斜視図である。
【図３】図２のブレーキ駆動装置とチェンジレバーとの動作を説明する図である。
【図４】図２のブレーキ駆動装置とチェンジレバーとの動作を説明する図である。
【符号の説明】
【００３６】
２  車両用変速機
４  ハウジング
６  入力軸（クラッチ軸）
１２  クラッチブースタ
１６  出力軸（主軸）
２０  カウンタ軸（副軸）
２４  クラッチブレーキ装置
３６  エア伝達装置（ブレーキ駆動装置）
４０  エアバルブ
５０  開閉タイミング装置
【図１】
2005291325.tif 000003
【図２】
2005291325.tif 000004
【図３】
2005291325.tif 000005
【図４】
2005291325.tif 000006